(57)【要約】【課題】  浴室内外からの浴室暖房乾燥装置１の操作を、一個のワイヤレスリモコンＲにて良好に行うことができ、かつコストを抑えることができる無線操作システム２０を提供する。【解決手段】  ワイヤレスリモコンＲから出力される赤外線を受信する受信器２１，２２を少なくとも二個用意し、一方を、浴室Ｂの天井部に設置される暖房放熱器３の下部カバー１１に設け、他方を浴室Ｂに隣接する脱衣場Ｄ等に設ける。これにより、一個のワイヤレスリモコンＲによる浴室暖房乾燥装置１の操作を、浴室内外を問わず良好に行うことが可能となる。【選択図】図１
2007187339.tif 000002
【特許請求の範囲】
【請求項１】
浴室に設けられる浴室装置と、無線式リモコンと、この無線式リモコンから出力される無線操作信号を受信するための受信部と、受信部にて受け取った無線操作信号に基づいて前記浴室装置を操作するコントローラを備える無線操作システムにおいて、
前記受信部は、少なくとも二個以上の受信器からなり、
これら受信器のうちの少なくとも一個を前記浴室内に設置し、残り受信器を浴室とは別室に設置することを特徴とする無線操作システム。
【請求項２】
前記浴室装置は、少なくとも浴室の暖房機能と、浴室の乾燥機能を有し、前記受信器を内蔵した浴室暖房乾燥装置である請求項１に記載の無線操作システム。
【発明の詳細な説明】
【技術分野】
【０００１】
本発明は、無線式リモコンにより、浴室に設置される浴室装置を操作するための無線操作システムに関するものであり、詳しくは、浴室内外からの浴室装置の操作を可能とした無線操作システムに関するものである。
【背景技術】
【０００２】
近年、浴室の暖房・乾燥・換気・送風機能等を有する浴室暖房乾燥装置が提案され、実用に供されている（例えば、特許文献１参照。）。
【０００３】
前記浴室暖房乾燥装置としては、種々のものがあるが、例えば、浴室の天井部に設置され、内部に熱交換器、循環ファン、換気ファン、各種制御を行うコントローラ等が配設される暖房放熱器と、屋外に設置され、循環回路を介して前記熱交換器と接続される熱源器と、換気ファンの駆動により暖房放熱器内に取り込まれた空気を屋外に排気する排気ダクトを備えるものが知られている。この種の浴室暖房装置は、リモートコントローラ（以下単に「リモコン」という。）を備えており、このリモコン操作に応じて、前記コントローラによる前記循環ファン、換気ファンの運転制御、熱交換器への温水供給制御、排気ダクトの開閉制御等が適宜行われ、暖房・乾燥・換気・送風の各種運転や、浴室の温度設定がなされる構成となっている。
【０００４】
ここで、操作用のリモコンとしては、携帯性、操作性に優れ、かつ施工が不要となる等の長所を有することから、ワイヤレス（無線）リモコンが採用されることが多い。また、温度設定や、送風操作等は、入浴者が好みや体調に合わせて適宜行う性質のものであるから、浴室内からのリモコンの操作により前記浴室暖房乾燥装置を操作する方式が採られる。
【０００５】
【特許文献１】特願２００２−８１６６４号公報
【発明の開示】
【発明が解決しようとする課題】
【０００６】
ところが、冬場においては、前記浴室は寒々とした環境にあることが多く、入浴直後や梅雨時においては湿気の高い不快な環境にあることが多いことから、浴室に入ることなく前記浴室暖房装置の各種運転を行いたいというニーズがある。
【０００７】
ところが、前記ワイヤレスリモコンは、安価な赤外線式のものが一般であるが、赤外線式のものでは有効操作範囲が略浴室内部に限定されることになるので、浴室に隣接する脱衣場からですら浴室暖房乾燥装置の操作を良好に行えず、前述のニーズに応えることができない。
【０００８】
このような問題点を解決する方法としては、例えば、ワイヤレスリモコンとは別に、ワイヤード（有線）リモコンを浴室外（例えば脱衣場等）に設置する方法も考えられる。
【０００９】
しかし、このような方法では、浴室内外からの浴室暖房装置の操作が可能にはなるものの、少なくとも二個以上のリモコンが必要となり、コスト高の要因になるという問題点がある。
【００１０】
また、浴室内外から浴室暖房装置の操作を可能とするために、有効操作可能距離が長いリモコン（例えば電波式のもの）を採用することも考えられるが、この方法では、リモコン本体や受信部の単価が高くなってしまう。
【００１１】
本発明は、このような問題点を解決するためになされたものであり、浴室内外からの操作により、浴室装置を操作することでき、コストを抑えることが可能で、かつ操作性が損なわれることのない無線操作システムを提供することを目的とするものである。
【課題を解決するための手段】
【００１２】
前記目的を達成するために、本発明による無線操作システムは、
浴室に設けられる浴室装置と、無線式リモコンと、この無線式リモコンから出力される無線操作信号を受信するための受信部と、受信部にて受け取った無線操作信号に基づいて前記浴室装置を操作するコントローラを備える無線操作システムにおいて、
前記受信部は、少なくとも二個以上の受信器からなり、
これら受信器のうちの少なくとも一個を前記浴室内に設置し、残り受信器を浴室とは別室に設置することを特徴とするものである（第１発明）。
【００１３】
前記浴室装置は、少なくとも浴室の暖房機能と、浴室の乾燥機能を有し、前記受信器を内蔵した浴室暖房乾燥装置であるのが好ましい（第２発明）。
【発明の効果】
【００１４】
本発明によれば、無線式リモコンからの無線操作信号を受信するための受信器が浴室内部だけでなく、浴室とは別室（例えば、脱衣場等）にも設置されている。このため、浴室内外からの浴室装置の操作を、一個の無線式リモコンにより行うことができる。また、浴室内部にて操作が行われた場合には、浴室に設置された受信器にて無線式リモコンからの無線操作信号が受信され、浴室の外部にて操作が行われる場合には、別室に設置された受信部にて無線操作信号が受信されることから、有効操作距離の短い赤外線式の無線式リモコンであっても、浴室装置を浴室内外から操作することが可能となり、有効操作距離の長い高価なリモコンを採用する必要がない。要するに、本発明によれば、浴室内外から浴室装置を操作する無線操作システムを、安価に提供することができる。さらに、受信器が浴室内外に設けられているので、浴室内部からの浴室装置の操作であっても、浴室外部からの操作であっても、操作性が損なわれることがない。
【００１５】
さらに、第２発明の構成を採用すれば、不快な環境にあることが多い浴室に入ることなく浴室内の暖房・乾燥・換気・送風を行うことができる。また、浴室内部からの操作によって、入浴者が最適な浴室温度等を状況に応じて適宜設定することもできる。したがって、よりニーズに即した浴室暖房乾燥装置を提供することが可能となる。
【発明を実施するための最良の形態】
【００１６】
次に、本発明による無線操作システムの具体的な実施の形態について図面を参照しつつ説明する。
【００１７】
図１には、本発明の無線操作システムを適用した浴室暖房乾燥装置の概略構成図が、図２には、浴室の天井部に設置される暖房放熱器の概略構成図が、図３には、無線操作システムのブロック図が、図４には、ワイヤレスリモコンの一例を示す図がそれぞれ示されている。
【００１８】
本実施形態において、浴室暖房乾燥装置（浴室装置）１には、当該浴室暖房乾燥装置１を操作するための無線操作システム２０が設けられる。前記浴室暖房乾燥装置１は、図１に示されるように、屋外に設置される熱源器２と、浴室Ｂの天井に設置されて浴室Ｂの暖房・乾燥・換気・送風等を行う暖房放熱器３を備える。また、前記無線操作システム２０は、赤外線式の無線式リモコン（以下、単に「ワイヤレスリモコン」と言う。）Ｒと、後述の受信器２１、２２と、コントローラＣを備えて構成されている。
【００１９】
前記熱源器２は、図示されないバーナ、循環ポンプ等を筐体の内部に備えるものであり、そのバーナを燃焼させ、循環ポンプを駆動することで、温水を前記暖房放熱器３に供給するようにされている。
【００２０】
図２に示されるように、前記暖房放熱器３の内部には、開閉シャッター４ａ付きの仕切り壁４が上下方向に向けて設けられており、その仕切り壁４によって暖房放熱器３の内部空間が循環室５と換気室６との二室に仕切られる。また、前記循環室５の内部には、往路７ａおよび復路７ｂを介して前記熱源器２に接続される熱交換器８と、浴室Ｂ内の空気を取り込み、再度浴室Ｂ内に送風して循環させる循環ファン９と、前述したコントローラＣが配設され、前記換気室６の内部には、換気用の換気ファン１０が配設されている。
【００２１】
前記暖房放熱器３の下部であって、浴室Ｂに臨む部分には、下部カバー１１が設けられており、この下部カバー１１の所要位置には、前記循環ファン９および／または換気ファン１０の運転時に、浴槽Ｂ内の空気を暖房放熱器３内に取り込むための取込口１１ａと、暖房放熱器３内の空気を浴室Ｂ内に送るための送風口１１ｂが互いに隣接して配されている。
【００２２】
前記換気室６には、第１，第２のダクト１２ａ，１２ｂと、排気ダクト１３それぞれの一端部が接続されており、第１，第２のダクト１２ａ，１２ｂの他端部は、浴室Ｂに隣接する脱衣場Ｄと、トイレＴにそれぞれ接続され、前記排気ダクト１３の他端部は屋外に繋がっている。これにより、換気ファン１０の運転時に、浴室Ｂに加えて、脱衣場Ｄ、トイレＴを換気できる構成となっている。
【００２３】
なお、図中、符号１４、１５で示されるものは、浴室Ｂから暖房放熱器３内に取り込まれる空気の温度と、熱交換器８に供給される温水の温度をそれぞれ検出する温度検出器であり、符号１６が示されるものは、往路７ａを開閉して、熱交換器８への通水を制御する開閉弁１６であり、符号１７が付されるのは防塵フィルターである。
【００２４】
前記コントローラＣは、各種運転制御するためのプログラムを実行するための中央演算装置（ＣＰＵ）Ｃ１，ＲＯＭＣ２、ＲＡＭＣ３、入出力部（Ｉ／Ｏ部）Ｃ４を有し、この入出力部（Ｉ／Ｏ部）Ｃ４には、前記ワイヤレスリモコンＲから出力される赤外線を受信するための二個の受信器２１、２２の他、シャッター４ａの駆動部、各ファン９，１０それぞれの駆動モータ９ａ，１０ａ、開閉弁１６、温度検出器１４，１５が接続されている。
【００２５】
前記受信器２１，２２のうちの一方の受信器２１は、前記暖房放熱器３の下部カバー１１の一角に設置され、他方の受信機２２は、浴室Ｂに隣接する脱衣場Ｄに設けたワイヤレスリモコンＲ用のフォルダＦに設けられている。
【００２６】
前記ワイヤレスリモコンＲは、従来周知のものであって、図４に示されるように運転モードを切替えるための運転モード切替部Ｒ１、運転条件を設定するための条件設定部Ｒ２、表示部Ｒ３、赤外線の発信部Ｒ４および、運転モード切替部Ｒ１・条件設定部Ｒ２が操作された際に、表示部Ｒ３の表示を行うとともに、発信部Ｒ４から赤外線を発信させる内部コントローラ（図示せず）を備えて構成される。
【００２７】
前記運転モード切替部Ｒ１は、暖房モードボタンＢ１、乾燥モードボタンＢ２、換気モードボタンＢ３、涼風モードボタンＢ４を備える。また、条件設定部は、温度設定ボタンＢ５、風向き設定ボタンＢ６、暖房運転時間を設定するタイマ設定ボタンＢ７を備える。なお、図４中Ｌ１〜Ｌ４で示されるものは、現在の運転モードを使用者に報知するためのランプである。
【００２８】
ここで、前記暖房モードボタンＢ１が押圧操作されると、赤外線発信部Ｒ４から赤外線が発信され、受信器２１（あるいは２２）によりその赤外線が受信される。前記コントローラＣは、赤外線を受信すると、シャッター４ａに閉信号を、開閉弁１６に開弁信号を出力する。しかる後、第２の温度検出器１５からの検出信号に基づいて、熱交換器８に所要温度以上の温水が供給されることを検知すると、循環ファン９のモータ９ａに運転開始信号を出力し、その循環ファン９を回転駆動する。これにより、浴室Ｂ内の空気が取込口１１ａを通じて暖房放熱器３内に取り込まれ、熱交換器８にて暖められた後、送風口１１ｂを通じて浴室Ｂ内に供給される。これにより、浴室Ｂが暖房される（図２の矢印Ａ１〜Ａ４参照。）。併せて、第１の温度センサー１４からの検出値に基づき、開閉弁１６の開度および循環ファン９の駆動モータ９ａがフィードバック制御され、浴室Ｂ内温度が、ユーザの設定温度に保たれる。
【００２９】
前記乾燥モードボタンＢ２が押圧操作されると、開閉弁１６が開弁され、循環ファン９・換気ファン１０の双方が回転駆動され、シャッター４ａが駆動されて開状態にされる。すると、浴室Ｂ内に暖かな空気が送風されるとともに、暖房放熱器３内に取り込まれた湿気を含む空気の一部が、換気室６、排気ダクト１３を通じて屋外に排気される。これにより、浴室Ｂ内が洗濯物を乾燥させるのに好適な、高温・低湿度の状態になる。
【００３０】
さらに、換気ボタンＢ３が押圧操作された場合には、シャッター４ａが開状態にされ、ファン１０が回転駆動され、浴室Ｂ内の空気が屋外に排出され、浴室Ｂの換気が行われる。この際、脱衣場Ｄ、トイレＴの換気を同時に行うようにしても良い。なお、換気時においては、開閉弁１６は閉弁状態にあり、循環ファン９は停止状態にある。
【００３１】
涼風ボタンＢ４が押圧された時には、開閉弁１６が閉弁状態にされるとともに、シャッター４ａが閉状態にされ、循環ファン９のみが駆動される。これにより、暖房放熱器３内に取り込まれた空気が加熱されることなく浴室Ｂ内に送風されるので、浴室Ｂ内で涼を取ることが可能となる。
【００３２】
なお、タイマ設定ボタンＢ７の操作により、運転時間が設定された場合には、前記コントローラＣのタイマＣ５にて連続運転時間が計時され、設定時間に達したタイミングで浴室暖房乾燥装置１が自動的に停止される。
【００３３】
本実施形態において、浴室Ｂ外から浴室暖房乾燥装置１を操作するには、ワイヤレスリモコンＲを脱衣場Ｄに持ち寄り（図１の実線表示されたワイヤレスリモコンＲおよび操作者を参照。）、当該ワイヤレスリモコンＲの任意の運転ボタン（Ｂ１〜Ｂ４）を操作する。すると、ワイヤレスリモコンＲから発信された赤外線が、脱衣場ＤのフォルダＦに設けられた受信器２２により受信される。これにより、浴室暖房乾燥装置１は、押圧操作されたボタン（Ｂ１〜Ｂ４）に応じた運転状態となり、浴室Ｂの暖房・乾燥・換気・送風がなされる
【００３４】
一方、浴室Ｂ内から操作する場合には、ワイヤレスリモコンＲを浴室Ｂ内に持ち込み（図１の破線表示されたワイヤレスリモコンＲおよび操作者を参照。）、同様の操作を行うと良い。すると、下部カバー１１の受信器２１によりワイヤレスリモコンＲからの赤外線が受信される。この場合であっても、浴室暖房乾燥装置１は、押圧操作されたボタン（Ｂ１〜Ｂ４）に応じた運転状態になる。
【００３５】
以上のように、本実施形態においては、浴室Ｂ内に加え、浴室Ｂに隣接する脱衣場ＤにもワイヤレスリモコンＲからの赤外線を受信する受信器２２が設置されているので、浴室Ｂ内外からの浴室暖房乾燥装置１の操作を、一個のワイヤレスリモコンＲにて行うことができる。したがって、従来提案された方法（リモコンを複数用意する方法、高価な電波式のリモコンを用いる方法）に比べ、コストを抑えることができる。また、浴室Ｂ内からの操作の際には、浴室Ｂ内の受信器２１にてワイヤレスリモコンＲからの赤外線が受信され、脱衣場Ｄ内からの操作の際には、脱衣場Ｄの受信器２２にて赤外線が受信されるので、ワイヤレスリモコンＲを浴室Ｂから離すことにより受信精度が低下することがなく、ドア、壁等によって受信器２２への赤外線の伝達が阻害されることもない。したがって、浴室Ｂ内外を問わず、浴室暖房乾燥装置１の操作を良好に行うことができる。
【００３６】
本実施形態においては、脱衣場Ｄの壁面に取り付けたワイヤレスリモコンＲ用のフォルダＦに、受信器２２を設けるという、合理的な方法にて脱衣場Ｄ側の受信器を設けているので、コスト面でさらに有利になる。なお、脱衣場Ｄにおける受信器２２の設定場所としては、フォルダＦに限定されることはなく、例えば、ダクト１２ａと脱衣場Ｄの接続部に設けられるパネル部１２ａ’に設けるようにしても良いし、脱衣場Ｄの天井部や、壁部に設けても良い。
【００３７】
本実施形態においては、二個の受信器２１，２２のうちの一方を浴室Ｂに、他方を脱衣場Ｄに設ける例について説明したが、他方の受信器を他の場所（リビング、ダイニング等）に設置することも無論可能である。また、浴室Ｂ内の受信器２１の場所も下部カバー１１に限定されるものではなく、例えば、浴室Ｂの壁面にワイヤレスリモコンＲ用のフォルダＦを取り付け、このフォルダＦに受信器２１を設けるようにしても良い。
【００３８】
また、少なくとも一個の受信器を浴室Ｂ内に設置するのであれば、受信器の個数についても、特に限定されるものではない。
【００３９】
また、本実施形態においては、無線操作システム２０を浴室暖房乾燥装置１に適用した例について説明したが、その他浴室内に設置する浴室内装置（たとえば、ミスト噴霧装置等）についても、本発明の無線操作システムを適用できるのは言うまでもない。
【図面の簡単な説明】
【００４０】
【図１】本発明の無線操作システムを適用した浴室暖房乾燥装置の概略構成図
【図２】浴室の天井部に設置される暖房放熱器の概略構成図
【図３】無線操作システムのブロック図
【図４】ワイヤレスリモコンの一例を示す図
【符号の説明】
【００４１】
１                  浴室暖房乾燥装置
２                  熱源器
３                  暖房放熱器
４ａ                シャッター
８                  熱交換器
９                  循環ファン
９ａ                モータ
１０                  換気ファン
１０ａ                モータ
１１                  下部カバー
１２ａ                第１のダクト
１２ｂ                第２のダクト
１３                  排気ダクト
２０                  無線操作システム
２１，２２            受信器
Ｂ                    浴室
Ｃ                    コントローラ
Ｒ                    ワイヤレスリモコン
Ｔ                    トイレ
【図１】
2007187339.tif 000003
【図２】
2007187339.tif 000004
【図３】
2007187339.tif 000005
【図４】
2007187339.tif 000006